(57)【要約】【課題】ノイズフィルタ装置において、Ｘコンデンサ、Ｙコンデンサ等の電気部品の変更を容易にする。【解決手段】入力端子３〜５に電気的に接続されるコネクタ３０と、出力端子６〜８に電気的に接続されるコネクタ３２とを、入出力端子３〜８間にコモンモードコイルＬが接続されたノイズフィルタ装置２０の壁面に設ける。たとえば、入力端子３〜５に接続されたコネクタ３０および出力端子６〜８に接続されたコネクタ３２に、コネクタ付きＸコンデンサブロックまたはＹコンデンサブロックをコネクタを介して接続する。このようにすれば、ノイズフィルタ装置２０におけるＸコンデンサ、Ｙコンデンサ等の電気部品の仕様変更、追加が容易である。【選択図】図３
2004364080.tif 000002
【特許請求の範囲】
【請求項１】
電源と該電源から電気が供給される負荷装置との間に配置され、前記電源に接続される入力端子と、前記負荷装置に接続される出力端子と、前記入出力端子間に接続される電気部品を搭載する搭載部とを有するノイズフィルタ装置において、
前記搭載部は、前記電気部品として、
前記入出力端子間に取り付けられるコイルと、
前記入出力端子の一方あるいは両方に接続され、外部の電気部品を着脱自由とする接続用部材と
を備えることを特徴とするノイズフィルタ装置。
【請求項２】
請求項１記載のノイズフィルタ装置において、
前記搭載部が、プリント基板である
ことを特徴とするノイズフィルタ装置。
【請求項３】
請求項１記載のノイズフィルタ装置において、
前記搭載部は、前記コイルを収納する中空のケースにより形成され、このケースの外壁に、前記入力端子と前記出力端子と前記接続用部材とが絶縁部材を介して取り付けられている
ことを特徴とするノイズフィルタ装置。
【請求項４】
請求項１〜３のいずれか１項に記載のノイズフィルタ装置において、
前記接続用部材を介して接続可能な外部の電気部品は、コンデンサ、放電抵抗器またはサージ吸収部品の中、少なくとも一種である
ことを特徴とするノイズフィルタ装置。
【請求項５】
請求項１〜３のいずれか１項に記載のノイズフィルタ装置において、
前記接続用部材は、コネクタまたは端子台である
ことを特徴とするノイズフィルタ装置。
【請求項６】
請求項１〜５のいずれか１項に記載のノイズフィルタ装置を前記電源と前記負荷装置の間に直列あるいは並列に接続したとき、前記接続用部材を介して接続可能な外部の電気部品は、２つの入力端子または２つの出力端子に共用で使用される
ことを特徴とするノイズフィルタ装置。
【発明の詳細な説明】
【０００１】
【発明の属する技術分野】
この発明は、電源（ＡＣ電源またはＤＣ電源）と該電源から電源コードを通じて電気が供給される負荷装置との間に配置され、前記負荷装置から前記電源へ前記電源コードを通じてノイズが伝搬することを阻止するとともに、前記電源コードから外部に放射されるノイズを阻止するノイズフィルタ装置に関する。
【０００２】
【従来の技術】
従来から、たとえば、モータ等を駆動するインバータ装置等の負荷装置と電源との間に、伝導ノイズあるいは放射ノイズのノイズ発生源となる前記負荷装置からの前記ノイズを阻止するためにノイズフィルタ装置が挿入配置される（特許文献１参照）。
【０００３】
詳しく説明すると、このノイズフィルタ装置は、一端が電源に接続された電源コードの他端が接続される負荷装置のインレットの近く（通常、負荷装置の内部）に挿入配置されることで、負荷装置からインレットを通じ電源コードに流れる伝導ノイズの発生を阻止するとともに、この伝導ノイズを原因として電源コードから放射される放射ノイズの発生を阻止するために使用される。
【０００４】
したがって、このノイズフィルタ装置を使用しない場合には、前記伝導ノイズを原因として前記電源に接続されている他の電気機器の動作に影響を与えたり、また前記放射ノイズがテレビジョン、プレイヤー等のＡＶ（Ａｕｄｉｏ  Ｖｉｓｕａｌ）機器に影響を与える。
【０００５】
このようなノイズ発生源から電源コードを通じて発生する伝導ノイズ、放射ノイズが、ＶＣＣＩ規格、ＣＩＳＰＲ規格およびＦＣＣ規格等の諸規格におけるＥＭＩ（Ｅｌｅｃｔｒｏ  Ｍａｇｎｅｔｉｃ  Ｉｎｔｅｒｆｅｒｅｎｃｅ）規制の対象となっており、規定レベル以下のレベルに抑制することが要請されている。
【０００６】
図１２は、一般的なノイズフィルタ装置２の概略的な斜視構成を示している。
【０００７】
図１３は、このノイズフィルタ装置２の電気回路図を示している。
【０００８】
このノイズフィルタ装置２は、シールドケースである金属ケース１０を有し、この金属ケース１０の前後壁面に、３相ＡＣ電源に接続される入力端子３〜５（ＬＩＮＥ側）と、負荷装置に接続される出力端子６〜８（ＬＯＡＤ側）と、接地端子９とがそれぞれ絶縁されて取り付けられている。
【０００９】
そして、金属ケース１０内に、電気部品として、端子３〜８に接続されるコモンモードコイルＬと、相間に接続される入力側のＸコンデンサＣｘ１（Ｃｘ１＝Ｃ１〜Ｃ３）および出力側のＸコンデンサＣｘ２（Ｃｘ２＝Ｃ４〜Ｃ６）と、相間に接続される放電抵抗器Ｒｄ（Ｒｄ＝Ｒ１〜Ｒ３）と、各相と接地端子９間に接続されるＹコンデンサＣｙ（Ｃｙ＝Ｃ７〜Ｃ９）とが収納されている。
【００１０】
【特許文献１】
特開平１０−１０７５７１号（図９、段落［００１０］）
【００１１】
【発明が解決しようとする課題】
ところで、このように構成されるノイズフィルタ装置２を構成する各電気部品は、負荷装置の電源容量、負荷装置のノイズ発生量、あるいは３相電源の結線（日本国内のような３相Δ結線、あるいは米国・欧州のような３相Ｙ結線）の方式を考慮し、さらに、上記の諸規格とコストとを考慮した最適な部品を選択する必要がある。
【００１２】
しかしながら、上記従来技術に係るノイズフィルタ装置２においては、一旦設計が完了し金属ケース１０を発注し、もしくは試作終了後に特性改善のためにその後最適な部品を再選択する際に、部品のサイズが大きくなり、金属ケース１０に収納しきれなくなる事態が発生する場合がある。この場合には、ノイズフィルタ装置２の金属ケース１０等の再設計を行わなければならず、その分、コストが上昇し、また納期が延びるという問題がある。
【００１３】
なお、上記の電気部品は、プリント基板に搭載して金属ケース１０の中に収納される場合もあり、この場合には、プリント基板の再設計、再製作が必要になるという問題がある。
【００１４】
実際上、プリント基板に搭載して、あるいはケース（金属ケースと樹脂ケースの場合がある。）に収納してノイズフィルタ装置を構成した場合に、そのノイズフィルタ装置の仕様（寸法等の構造的仕様と電流容量等の電気的仕様）で安全規格（ＵＬ規格、ＣＳＡ規格、ＴＵＶ規格、およびＶＤＥ規格等）を申請し、取得する必要がある。安全規格の取得後に電気部品を変更するとき、再申請（変更仕様の通知）が必要となり、再申請費用および再申請に必要なサンプル品の製作等、新たなコストが発生するという問題がある。
【００１５】
また、米国あるいは欧州用のノイズフィルタ装置では、３相電源の結線が、３相Ｙ結線であるため、Ｙコンデンサによる漏洩電流の問題が発生しない。しかし、米国あるいは欧州用のノイズフィルタ装置付き負荷装置を、ノイズフィルタ装置の購入先であるノイズフィルタ装置付き負荷装置の製造企業等が日本国内で出荷検査をする場合、ＹコンデンサＣｙを通じて流れる漏洩電流を原因として出荷検査を行っている工場内の漏電ブレーカが誤作動する場合がある。この場合には、負荷装置からノイズフィルタ装置を取り外して負荷装置の出荷検査を行うか、３相ＡＣ電源側に絶縁トランスを挿入して負荷装置の出荷検査を行う必要があるが、繁雑であり、かつ、その分の工数（コスト）が発生するという問題がある。
【００１６】
さらに、ノイズフィルタ装置付き負荷装置の耐電圧・絶縁試験を行う場合には、ノイズフィルタ装置を構成する耐電圧の低い放電抵抗器Ｒｄあるいは雷サージ吸収部品を電気的に遮断しあるいは機械的に取り外してから行い、破壊させないようにする配慮が必要である。この場合にも、金属ケース１０の蓋を開けて、これらの電気部品を取り外す、あるいはプリント基板に搭載されている場合には、一方の端子を外す等の一時的な処理を行う必要があり、その分の工数（コスト）が発生するという問題がある。
【００１７】
さらにまた、ノイズフィルタ装置２の入出力端子がラグ端子用として形成されている場合、締め付けトルクおよび接触抵抗の観点から、端子台に接続可能なラグ端子は２個と決められているので、すでにラグ端子が２個ついている端子台に新たに電気部品を追加する必要が発生した場合に、新たな端子台を設ける必要があり、結局、ノイズフィルタ装置２の構造を再設計しなければならないという問題がある。
【００１８】
この発明は、このような種々の課題を考慮してなされたものであり、コイル以外の、Ｘコンデンサ、Ｙコンデンサ、放電抵抗器等の電気部品の変更が容易なノイズフィルタ装置を提供することを目的とする。
【００１９】
また、この発明は、電気部品の変更に際して、プリント基板や金属ケースの変更が必要のないノイズフィルタ装置を提供することを目的とする。
【００２０】
【課題を解決するための手段】
この発明のノイズフィルタ装置は、電源と該電源から電気が供給される負荷装置との間に配置され、前記電源に接続される入力端子と、前記負荷装置に接続される出力端子と、前記入出力端子間に接続される電気部品を搭載する搭載部とを有するノイズフィルタ装置において、前記搭載部は、前記電気部品として、前記入出力端子間に取り付けられるコイルと、前記入出力端子の一方あるいは両方に接続され、外部の電気部品を着脱自由とする接続用部材とを備えることを特徴とする（請求項１記載の発明）。
【００２１】
この発明によれば、入出力端子の一方あるいは両方に外部の電気部品を着脱自由とする接続用部材を備えているので、コイル以外の電気部品の変更が容易である。
【００２２】
前記搭載部は、プリント基板にすることができる（請求項２記載の発明）。
【００２３】
また、前記搭載部が、前記コイルを収納する中空のケースにより形成され、このケースの外壁に、前記入力端子と前記出力端子と前記接続用部材とが絶縁部材を介して取り付けられているように構成することで、このノイズフィルタ装置のみの安全規格を取得すれば、仕様を変更する際に内部部品であるコイルを変更することなく、接続用部材に接続可能な電気部品の仕様を変更すればよいので、安全規格を再申請する必要がない（請求項３記載の発明）。ケースは、たとえば電磁シールドを考慮した場合には導電性の金属ケースが用いられ、感電防止のみを考慮する場合には樹脂ケースが用いられる。
【００２４】
なお、前記接続用部材を介して接続可能な外部の電気部品は、コンデンサ、放電抵抗器またはサージ吸収部品の中、少なくとも一種とされる（請求項４記載の発明）。
【００２５】
また、前記接続用部材は、コネクタまたは端子台とされる（請求項５記載の発明）。スイッチを用いることもできる。
【００２６】
さらに、ノイズフィルタ装置を前記電源と前記負荷装置の間に直列あるいは並列に接続したとき、前記接続用部材を介して接続可能な外部の電気部品は、２つの入力端子または２つの出力端子に共用で使用することができる（請求項６記載の発明）。共用使用することで、容積およびコストを同時に低減することができる。
【００２７】
【発明の実施の形態】
以下、この発明の実施形態について図面を参照して説明する。なお、以下に参照する図面において、上記図１２と図１３に示したものと対応するものには同一の符号を付けてその詳細な説明は省略する。
【００２８】
図１は、この発明の一実施形態のノイズフィルタ装置２０を含む全体システム構成図である。
【００２９】
図２は、図１に示すノイズフィルタ装置２０の電気回路図である。
【００３０】
図３は、図１に示すノイズフィルタ装置２０の金属ケースからなる搭載部２６を透明に描いた斜視構成図である。
【００３１】
図１〜図３において、ノイズフィルタ装置２０は、３相交流電源２２と、この３相交流電源２２から電気が供給されるサーボ電源やインバータ電源などの負荷装置２４との間に挿入配置されている。
【００３２】
このノイズフィルタ装置２０は、基本的には、ＬＩＮＥ側である３相交流電源２２が接続される端子台構成の入力端子３〜５と、ＬＯＡＤ側である負荷装置２４に接続される端子台構成の出力端子６〜８と、接地端子９と、入力端子３〜５および出力端子６〜８に接続される電気部品を搭載する搭載部２６とを備えている。
【００３３】
この場合、３相交流電源２２と入力端子３〜５との間には直列にノンフューズブレーカ（ＮＦＢ）１１とメインコンタクタＭＣが挿入されている。
【００３４】
ノイズフィルタ装置２０を構成する搭載部２６は、電気部品として、入出力端子３〜５，６〜８の内部側の端子間に取り付けられるコモンモードコイル（単に、コイルともいう。）Ｌ（図２および図３参照）と、入力端子３〜５の内部側の端子（図３参照）にラグ端子１０３〜１０５を介して接続される接続用部材としての６極のコネクタ３０と、出力端子６〜８の内部側の端子にラグ端子１０６〜１０８を介して接続される接続用部材としての９極のコネクタ３２とを備えている。コネクタ３０、３２は、搭載部２６の壁面、すなわち金属ケースの壁面にネジ３１、３３により取り付けられている。
【００３５】
搭載部２６は、コイルＬを収納する中空の導電性の金属ケースにより形成され、この金属ケースの外壁に絶縁部材である端子台３４を介して入力端子３〜５が取り付けられるとともに、端子台３６を介して出力端子６〜８が取り付けられる。接地端子９は、導電性ケースと接続されている。
【００３６】
図４は、ラグ端子１０６〜１０８とケーブル１１６〜１１８と９極のコネクタ３２とから構成され、出力端子６〜８に着脱自由に取り付けられるコネクタアセンブリ３８の単体の外観図を示している。入力端子３〜５に着脱自由に取り付けられるコネクタアセンブリ４０（図２参照）は、６極のコネクタ３０を使用する以外、コネクタアセンブリ３８と同一の構成である。
【００３７】
入力端子３〜５側の６極のコネクタ３０に差して接続することが可能であって、換言すればコネクタ接続が可能であって着脱自由な外部の電気部品は、図２に示すように、３個の放電抵抗器Ｒｘ（Ｒｘ＝Ｒ１〜Ｒ３）を含む抵抗器ブロック４４にケーブルを介して３極のコネクタ４６が接続されたコネクタ付き放電抵抗器ブロック４８と、３個のＸコンデンサＣｘ（Ｃｘ＝Ｃ１〜Ｃ３）を含むＸコンデンサブロック５０にケーブルを介して３極のコネクタ５２が接続されたコネクタ付きＸコンデンサブロック５４が準備されている。コネクタ付き放電抵抗器ブロック４８とコネクタ付きＸコンデンサブロック５４とは、コネクタ３０に同時にコネクタ接続することが可能になっている。
【００３８】
また、出力端子６〜８側の９極のコネクタ３２に接続可能であって着脱自由な外部の電気部品は、図２に示すように、３個のＹコンデンサＣｙ（Ｃｙ＝Ｃ７〜Ｃ９）を含むＹコンデンサブロック５５にケーブルを介してコネクタ５６が接続されたコネクタ付きＹコンデンサブロック５８と、同じく３個のＸコンデンサＣｘ（Ｃｘ＝Ｃ４〜Ｃ６）を含むＸコンデンサブロック６０にケーブルを介してコネクタ６２が接続されたコネクタ付きＸコンデンサブロック６４と、雷等のサージを吸収するサージ吸収部品ブロック６６にケーブルを介してコネクタ６８が接続されたコネクタ付きサージ吸収部品ブロック７０が準備されている。コネクタ付きＹコンデンサブロック５８とコネクタ付きＸコンデンサブロック６４とコネクタ付きサージ吸収部品ブロック７０とは、コネクタ３２に同時にコネクタ接続することが可能になっている。
【００３９】
なお、コネクタ付きＸコンデンサブロック５４のコネクタ５２をコネクタ３２にコネクタ接続することも可能であり、逆に、コネクタ付きＸコンデンサブロック６４をコネクタ３０にコネクタ接続することも可能である。各コネクタ４６、５２、５６、６２および６８は共通の同じ３極のコネクタであるので、コネクタ３０、３２のいずれにもコネクタ接続することが可能である。
【００４０】
図５の一部に、コネクタ付きＸコンデンサブロック６４の外観図を示しており、この中、Ｘコンデンサブロック６０は、図２中の３個のＸコンデンサＣｘ（Ｃｘ＝Ｃ４〜Ｃ６）が樹脂モールドされてブロック体とされた形状とされている。図示はしないが、コネクタ付き放電抵抗器ブロック４８、コネクタ付きＸコンデンサブロック５４、コネクタ付きＹコンデンサブロック５８、およびコネクタ付きサージ吸収部品ブロック７０も同様の構成である。
【００４１】
この場合、コンデンサブロック６０、５０、５５および抵抗器ブロック４４並びにサージ吸収部品ブロック６６は、必ずしも樹脂モールドされている必要はなく、沿面距離を考慮してプリント基板に搭載した構成とすることもできる。
【００４２】
なお、コネクタ付きサージ吸収部品ブロック７０は、図２に示すように、バリスタＺ１〜Ｚ３とダイヤサージアブソーバＤＳＡとから構成されている。
【００４３】
上記の構成において、図２に示すように、コネクタ３０に対して、コネクタ４６、５２が着脱自由であり、コネクタ３２に対して、コネクタ５６、６２、６８が着脱自由である。
【００４４】
基本的には以上のように構成されるノイズフィルタ装置２０において、図５に例として示すように、適切な容量のコネクタ付きＸコンデンサブロック６４が選択されて、そのコネクタ６２が搭載部２６に取り付けられたコネクタ３２に近づけられる。
【００４５】
そして、図６に示すように、コネクタ３２の３極部分に３極のコネクタ６２が外部から挿入されることで、ノイズフィルタ装置２０の出力端子６〜８に外部電気部品としてＸコンデンサＣｘ（Ｃｘ＝Ｃ４〜Ｃ６）を有するＸコンデンサブロック６０が着脱自由に取り付けられる。
【００４６】
図７は、この発明の他の実施形態に係るノイズフィルタ装置２０の構成を示している。この図７例のノイズフィルタ装置２０において、図１に示したノイズフィルタ装置２０と対応するものには同一の符号を付けている。
【００４７】
図７例のノイズフィルタ装置２０の入力端子３〜５に対して搭載部２６の内部で電気的に接続されているコネクタ３０ａ、３０ｂに、コネクタ付き放電抵抗器ブロック４８およびコネクタ付きＸコンデンサブロック５４（６４）をそれぞれのコネクタ４６および５２（６２）を介して着脱自由に取り付けることができる。
【００４８】
また、ノイズフィルタ装置２０の出力端子６〜８に対して搭載部２６の内部で電気的に接続されているコネクタ３２ａ、３２ｂに、ブロック化したコネクタ付きサージ吸収部品ブロック７０、コネクタ付きＹコンデンサブロック５８およびコネクタ付きＸコンデンサブロック５４（６４）をそれぞれのコネクタ６８、５６および５２（６２）を着脱自由に取り付けることができる。この場合、入力側のコネクタ３０ａ、３０ｂに接続する外部の電気部品、および出力側のコネクタ３２ａ、３２ｂに接続する外部の電気部品は、必ずしも固定したものではなく、要求されるノイズフィルタ装置２０の特性に合わせて、これら入力側のコネクタ３０ａ、３０ｂおよび出力側のコネクタ３２ａ、３２ｂに接続する外部の電気部品を適宜入れ替えることができる。
【００４９】
このため、電気部品の定数変更が簡単に行え、ＥＭＣ（Ｅｌｅｃｔｒｏ  Ｍａｇｎｅｔｉｃ  Ｃｏｍｐａｔｉｂｉｌｉｔｙ）試験の時間を短縮することができる。
【００５０】
また、ノイズフィルタ装置２０から脱着自由であるので電気部品の定数を変更しても、搭載部２６である金属ケースや内部のプリント基板の構造・寸法の変更が不要になる。
【００５１】
さらに、端子台３４、３６（図１、図３参照）構成の入出力端子３〜８にラグ端子を追加して締め付ける必要がなく、電気部品を追加することができる。
【００５２】
さらにまた、日本国内での試験時には、漏洩電流に関係するコネクタ付きＹコンデンサブロック５８のコネクタ５６を取り外しておくことにより、ノンフューズブレーカ１１の誤作動を回避することができ、試験時に絶縁トランスも不要である。
【００５３】
なお、Ｙコンデンサブロック５８を搭載部２６の外部に取り付ける方式としているので、より大きな容量で形状が大きい任意のＹコンデンサを取り付けることができる。換言すれば、Ｙコンデンサの選択および取付の自由度が大きくなる。Ｙコンデンサブロック５８に限らず、他の電気部品についても選択および取付の自由度が大きくなる。
【００５４】
また、耐電圧、絶縁試験時には、コネクタ付きサージ吸収部品ブロック７０のコネクタ６８を取り外しておくことにより、サージ吸収部品を電気的に遮断できるので、耐電圧、絶縁試験時に破壊させることがなくなる。
【００５５】
上記のように構成される、コイルＬを含む搭載部２６およびコネクタ３０、３２を有するノイズフィルタ装置２０を、定格電圧、定格電流に適合させてシリーズ化・標準化を行い、安全規格を申請し取得する。
【００５６】
安全規格取得後に、ノイズフィルタ装置２０の特性を改善したい場合、コイルＬ以外の電気部品の定数変更が容易に行える。この場合には、安全規格の再申請を行う必要がなくなり、申請書類の作成費用、サンプルの製作費用が発生しない。なお、個々の電気部品は、通常、申請して安全規格が取得されているので再申請の必要はない。
【００５７】
図８は、３相交流電源２２と負荷装置２４との間に、ノイズフィルタ装置２０Ａとノイズフィルタ装置２０Ｂを直列接続したノイズフィルタ装置１２０の模式図を示している。
【００５８】
図９は、３相交流電源２２と負荷装置２４との間に、ノイズフィルタ装置２０Ａとノイズフィルタ装置２０Ｂを並列接続したノイズフィルタ装置１２２の模式図を示している。
【００５９】
この図８、図９例のノイズフィルタ装置１２０、１２２によれば、ＸコンデンサブロックやＹコンデンサブロック等の電気部品９２、９６にケーブルを介してそれぞれ２つのコネクタ９０、９１およびコネクタ９４、９５を付けたコネクタ付き電気部品９３、９７の構成としている。
【００６０】
この場合、図８例の直列型ノイズフィルタ装置１２０によれば、たとえば、前側のノイズフィルタ装置２０Ａのコネクタ３０ｂにコネクタ９０、後側のノイズフィルタ装置２０Ｂのコネクタ３０ｂにコネクタ９１をコネクタ接続することにより、コネクタ付き電気部品９３を１組の入力端子３〜５に共用することができる。すなわち、コネクタ付き電気部品の数をまとめることができる。
【００６１】
もちろん、ノイズフィルタ装置２０Ａのコネクタ３２ｂにコネクタ９４を接続し、ノイズフィルタ装置２０Ｂのコネクタ３２ｂにコネクタ９５を接続することにより、コネクタ付き電気部品９７を１組の出力端子６〜８に共用することができる。
【００６２】
図９例の並列型ノイズフィルタ装置１２２においても、たとえば、１個の電気部品９２および電気部品９６を共用することができる。
【００６３】
このように、ノイズフィルタ装置１２０、１２２を構成するノイズフィルタ装置２０Ａ、２０Ｂに電気部品９２、９６を共用することで、外部の電気部品９２、９６の個数を減らすことができコストダウンを図ることができる。なお、電気部品９２、９６の定格値は、ノイズを阻止するために必要となる合成の定格値（たとえば、コンデンサであれば、合成静電容量）のものを使用する。
【００６４】
上述した実施形態においては、外部の電気部品９２、９６等を着脱自由とする接続用部材としてコネクタ３０ａ、３０ｂおよびコネクタ３２ａ、３２ｂを用いているが、コネクタ３０ａ、３０ｂおよびコネクタ３２ａ、３２ｂに代替して端子台を用いることもできる。この場合、コネクタ付き電気部品９３等は、図１０に示すように、ラグ端子９８と電気部品９９をケーブルで接続したラグ端子付き電気部品１００の構造とされる。
【００６５】
図１１は、この発明のさらに他の実施形態のノイズフィルタ装置１２４の一部分である入力端子３〜５および出力端子６〜８を含む部分の構成を示している。このノイズフィルタ装置１２４では、プリント基板１０２が搭載部２６に取り付けられ、プリント基板１０２に取り付けられたＹコンデンサブロック５５の接地端子１０９がケーブル１０４を通じラグ端子１０６により接地端子９にねじ１１２により着脱自由な構成となっている。この場合、ラグ端子１０６を金属製の接地端子９から取り外して樹脂製のダミー端子１９にねじ１１０により取り付けることによりＹコンデンサブロック５５の接地端子を浮かせることができる。接地端子を浮かせた状態で、日本国内で試験を行うことにより、ノンフューズブレーカ１１の誤作動を回避することができる。絶縁トランスも不要である。
【００６６】
なお、この発明は、上述した実施形態に限らず、外部接続用部材をコネクタや端子台に限らず、スイッチにするなど、この明細書の記載内容に基づき、当業者が種々の構成を採り得ることはもちろんである。
【００６７】
【発明の効果】
以上説明したように、この発明によれば、ノイズフィルタ装置において、コイル以外の電気部品の変更がきわめて容易になる。
【００６８】
また、電気部品の変更に際して、プリント基板や金属ケースの寸法・構造を変更する必要がない。
【００６９】
したがって、この発明のノイズフィルタ装置は、きわめて汎用性が高くなり、ひいてはコストダウンが可能となる。
【図面の簡単な説明】
【図１】この発明の一実施形態に係るノイズフィルタ装置のシステム構成図である。
【図２】図１例のノイズフィルタ装置の回路図である。
【図３】図１例のノイズフィルタ装置の内部構成を示す一部透明斜視説明図である。
【図４】コネクタアセンブリの外観図である。
【図５】コネクタ付きＸコンデンサブロックのコネクタとノイズフィル装置のコネクタとのコネクタ接続前状態の説明図である。
【図６】コネクタ付きＸコンデンサブロックのコネクタとノイズフィル装置のコネクタとのコネクタ接続状態の説明図である。
【図７】この発明の他の実施形態に係るノイズフィルタ装置の作用説明に供されるシステム構成図である。
【図８】直列接続構成のノイズフィルタ装置の模式図である。
【図９】並列接続構成のノイズフィルタ装置の模式図である。
【図１０】ラグ端子付き電気部品の外観図である。
【図１１】この発明のさらに他の実施形態のノイズフィルタ装置の構成図である。
【図１２】一般的なノイズフィルタ装置の外観図である。
【図１３】一般的なノイズフィルタ装置の電気回路図である。
【符号の説明】
２、２０、２０Ａ、２０Ｂ、１２０、１２２、１２４…ノイズフィルタ装置
３〜５…入力端子                    ６〜８…出力端子
９…接地端子                        １０…金属ケース
２２…３相交流電源                  ２４…負荷装置
２６…搭載部                        １０３〜１０８…ラグ端子
３０、３０ａ、３０ｂ、３２、３２ａ、３２ｂ、４６、５２、５６、６２、６８、９０、９１、９４、９５…コネクタ
３８…コネクタアセンブリ            ４４…抵抗器ブロック
４８…コネクタ付き放電抵抗器ブロック
５４、５５、５８、６４…コネクタ付きコンデンサブロック
５５、６０…コンデンサブロック      ６６…サージ吸収部品ブロック
７０…コネクタ付きサージ吸収部品ブロック
９２、９６、９９…電気部品          ９３、９７…コネクタ付き電気部品
１００…ラグ端子付き電気部品        １０２…プリント基板
１１０、１１２…ねじ                １１６〜１１８…ケーブル
Ｌ…コモンモードコイル
【図１】
2004364080.tif 000003
【図２】
2004364080.tif 000004
【図３】
2004364080.tif 000005
【図４】
2004364080.tif 000006
【図５】
2004364080.tif 000007
【図６】
2004364080.tif 000008
【図７】
2004364080.tif 000009
【図８】
2004364080.tif 000010
【図９】
2004364080.tif 000011
【図１０】
2004364080.tif 000012
【図１１】
2004364080.tif 000013
【図１２】
2004364080.tif 000014
【図１３】
2004364080.tif 000015